(57)【特許請求の範囲】
【請求項１】
カバー本体の一端に口金を備え他端に取付端部を有するカバーと；
カバーの取付端部に取り付けられる開口端部を、その他端の頂端部側の最大径よりも縮径してなるグローブと；
螺旋状に形成されたバルブおよびこのバルブの両端部に封装された一対の電極を有し、バルブ外径７〜９ｍｍ、発光管最大外径２５〜３６ｍｍ、発光管高さ６５〜８５ｍｍ、放電路長２５０〜６００ｍｍ、グローブ内に収容されたときに、その開口端部の内方に位置する部位に収容可能に形成してなる発光管と；
カバー内に収容された点灯装置と；
を具備し、
カバーは、その最大外径が口金外径に対し１．０〜１．８倍であり、口金以外のカバー本体長さがランプ全長の２３％以下であることを特徴とする電球形蛍光ランプ。
【請求項２】
発光管は、グローブの開口端部の内方に位置する部位が、発光管最大外径部よりも縮径していることを特徴とする請求項１記載の電球形蛍光ランプ。
【請求項３】
発光管は、その口金側と反対側の頂端部を、グローブの頂端部内面の形状に対応して発光管最大外径から漸次縮径させていることを特徴とする請求項１または２記載の電球形蛍光ランプ。
【請求項４】
グローブは、複数に分割された分割体を一体に組み付けた後、その外面に被せた熱収縮樹脂フィルムの熱収縮により一体に形成されてなることを特徴とする請求項１または２記載の電球形蛍光ランプ。
【請求項５】
カバーが透明に形成されていることを特徴とする請求項１ないし４のいずれか一記載の電球形蛍光ランプ。
【請求項６】
請求項１ないし５のいずれか一記載の電球形蛍光ランプと；
電球形蛍光ランプが取り付けられる器具本体と；
を具備していることを特徴とする照明装置。
【発明の詳細な説明】
【技術分野】
【０００１】
本発明は、電球形蛍光ランプおよびこの電球形蛍光ランプを具備した照明装置に関する。
【背景技術】
【０００２】
従来、この種の電球形蛍光ランプは、ＪＩＳに定義されている一般照明用電球に近い寸法に小形化されており、一般照明用電球に近似した外観を有する。
【０００３】
この種の電球形蛍光ランプは、屈曲形のバルブを有する発光管、カバー本体の一端に口金を取り付け他端側で発光管を支持するカバー、このカバー内に収容される点灯装置、発光管を被覆してカバーの他端側に取り付けられるグローブ等を具備している（例えば、特許文献１参照）。
【０００４】
そして、近年では、グローブ内の狭隘な空間内に配設される屈曲バルブを螺旋形に形成して放電路長の増大を図った発光管を備えたものが提案されている（例えば、特許文献２参照）。
【特許文献１】特開２０００−２１３５１号公報
【特許文献２】特開２００３−２６３９７２号公報
【発明の開示】
【発明が解決しようとする課題】
【０００５】
しかしながら、このような従来の螺旋形発光管を有する電球形蛍光ランプでは、螺旋形の発光管のバルブ端部がカバー内に延在し、その発光管の端部がカバー内のホルダーにより支持されるので、カバーが大形化するという課題がある。
【０００６】
しかも、このカバーは発光管の発光を透過させないために発光しない部分であり、その分、発光効率を大きく低下させている。また、カバーと口金が発光しないので、口金のみが発光しない一般照明用電球とは、点灯時の外観においても相違した印象を与えることになる。
【０００７】
本発明はこのような事情を考慮してなされたもので、発光しないカバーを小形化して発光効率を向上させることができる電球形蛍光ランプおよび照明装置を提供することを目的とする。
【課題を解決するための手段】
【０００８】
請求項１記載の電球形蛍光ランプは、カバー本体の一端に口金を備え他端に取付端部を有するカバーと；カバーの取付端部に取り付けられる開口端部を、その他端の頂端部側の最大径よりも縮径してなるグローブと；螺旋状に形成されたバルブおよびこのバルブの両端部に封装された一対の電極を有し、バルブ外径７〜９ｍｍ、発光管最大外径２５〜３６ｍｍ、発光管高さ６５〜８５ｍｍ、放電路長２５０〜６００ｍｍ、グローブ内に収容されたときに、その開口端部の内方に位置する部位に収容可能に形成してなる発光管と；カバー内に収容された点灯装置と；を具備し、カバーは、その最大外径が口金外径に対し１．０〜１．８倍であり、口金以外のカバー本体長さがランプ全長の２３％以下であることを特徴とする電球形蛍光ランプである。
【０００９】
バルブ外径が７ｍｍ未満の細径であると、グローブ内の所定空間内に配設される発光管の螺旋ターン数を多くし、放電路長を長くすることができるが、金型を使用したモールド成型により直状円管状のガラスバルブを螺旋形に成形する際にはガラスバルブの外径が細過ぎるので、クラックや歪みが発生し易い。このために、螺旋状のガラスバルブを量産する場合の歩留りを低下させる不具合がある。
【００１０】
一方、バルブ外径が９ｍｍを超える太径の場合は、グローブ内側の限られたスペース内に螺旋形状を形成しなければならないので、螺旋ターン数が減少し、放電路長が短くなるので、発光効率を向上させることができない。
【００１１】
また、発光管は、グローブの縮径開口端部の内方に位置する部位（端部）を、このグローブの縮径開口端部内に収容し得るように形成しているので、この発光管端部を、グローブの縮径開口端部に取り付けられるカバー内に挿入し、口金近傍まで延伸させることができる。
【００１２】
このために、口金近傍のグローブを発光管により発光させることができるので、カバーを小形化し発光効率を向上させることができる。
【００１３】
なお、放電路長は、小形化優先のためには２５０ｍｍ以上とするのがよいが、発光効率の向上のためには４００ｍｍ以上が望ましい。しかし、放電路長が６００ｍｍを超える場合には、始動電圧が高くなるので、カバー内に配設される小形の点灯装置の大形化を招き、点灯装置をカバー内に収容し難くなる、という新たな課題が発生する虞がある。
【００１５】
請求項２記載の電球形蛍光ランプは、発光管は、グローブの開口端部の内方に位置する部位が、発光管最大外径部よりも縮径していることを特徴とする請求項１記載の電球形蛍光ランプである。
【００１６】
請求項３記載の電球形蛍光ランプは、発光管は、その口金側と反対側の頂端部を、グローブの頂端部内面の形状に対応して発光管最大外径から漸次縮径させていることを特徴とする請求項１または２記載の電球形蛍光ランプである。
【００１７】
請求項４記載の電球形蛍光ランプは、グローブは、複数に分割された分割体を一体に組み付けた後、その外面に被せた熱収縮樹脂フィルムの熱収縮により一体に形成されてなることを特徴とする請求項１または２記載の電球形蛍光ランプである。
【００１８】
請求項５記載の電球形蛍光ランプは、カバーが透明に形成されていることを特徴とする請求項１ないし４のいずれか一記載の電球形蛍光ランプである。
【００１９】
請求項６記載の照明装置は、請求項１ないし５のいずれか一記載の電球形蛍光ランプと；電球形蛍光ランプが取り付けられる器具本体と；を具備していることを特徴とする照明装置である。
【発明の効果】
【００２０】
請求項１記載の電球形蛍光ランプによれば、螺旋形のバルブ自体の外径が７〜９ｍｍの細径であって、螺旋形の最大外径である発光管最大外径が２５〜３６ｍｍ、発光管高さが６５〜８５ｍｍ、放電路長が２５０〜６００ｍｍであるので、発光効率を向上させることができると共に、点灯外観を一般照明用電球に近似させることができる。
【００２２】
また、カバーの最大外径が口金外径の１．０〜１．８倍であるので、外観自体と点灯外観を一般照明用電球のものに近似させることができる。
【００２３】
請求項２記載の電球形蛍光ランプによれば、グローブの縮径開口端部の内方に位置する発光管の端部近傍が発光管最大外径部よりも縮径しているので、この発光管縮径端部をカバー内に挿入して口金近傍まで延伸させることができる。
【００２４】
このために、発光管の放電路長を長くして発光効率を向上させることができると共に、発光管縮径端部により口金近傍まで発光させることができるので、点灯外観を一般照明用電球に一層近似させることができる。
【００２５】
また、発光管の放電路長が最長の発光管最大外径部を、グローブの最大外径部内に位置させることができるので、放電路長を長くして発光効率を向上させることができる。
【００２６】
請求項３記載の電球形蛍光ランプによれば、発光管の頂端部を、グローブの頂端部の縮径内面に対応して発光管最大外径から漸次縮径しているので、発光管の頂端部外面をグローブ頂端部内面に近接させ、発光管の放電路長を長くし、発光効率を向上させることができる。
【００２７】
請求項４記載の電球形蛍光ランプによれば、グローブを縦（軸方向）割りや横（水平方向）割等により分割しているので、発光管がグローブの開口端よりも大径の最大外径部を具備している形状であっても、この発光管の最大外径部をグローブ内に容易に挿入することができる。
【００２８】
また、グローブの複数の分割体を１個のグローブに組み付けた後、その外面に熱収縮樹脂フィルムを被せ、このフィルムを熱収縮させることにより、グローブを簡単かつ迅速に一体に形成することができる。
【００２９】
請求項５記載の電球形蛍光ランプによれば、口金を取り付けているカバーが透明であるので、このカバーを発光管により発光させることができる。このために、一般照明用電球とほぼ同様に口金の根元まで発光させることができるので、点灯外観を一般照明用電球に近似させることができる。
【００３０】
請求項６記載の照明装置によれば、請求項１ないし５のいずれか一記載の照明装置を具備しているので、これら電球形蛍光ランプの作用効果を有する照明装置を提供することができる。
【発明を実施するための最良の形態】
【００３１】
以下、本発明の実施形態を添付図面に基づいて説明する。なお、複数の添付図面中、同一または相当部分には、同一符号を付している。
【００３２】
図１に示すように電球形蛍光ランプ１は、その高さ方向（管軸方向）の一端に口金２を有するカバー３、このカバー３の他端側に支持された発光管４、この発光管４の一端側を支持してカバー３に取り付けられたホルダ５、発光管４を覆うとともに一端側でホルダ５の周囲も覆ってカバー３に取り付けられたグローブ６、口金２およびカバー３の内側に収納された点灯装置７を備えている。そして、定格電力が例えば４０Ｗタイプ、６０Ｗタイプ、１００Ｗタイプの白熱電球などの一般照明用電球に近い寸法と外観に形成されている。この一般照明用電球とは、ＪＩＳ  Ｃ  ７５０１に定義されている。
【００３３】
口金２は、エジソンタイプのＥ２６形などで、ねじ山を備えた筒状のシェル２ａ、このシェル２ａの一端側の頂部に絶縁部２ｂを介して設けられたアイレット２ｃを備えている。シェル２ａの他端側をカバー３の一端部に被せて接着剤またはかしめなどにより固定されている。
【００３４】
カバー３は、例えばポリブチレンテレフタレート（ＰＢＴ）などの耐熱性合成樹脂により図１中下方に向けて漸次縮径する円錐台状のカバー本体３ａを形成し、このカバー本体３ａの一端（図１中下端）側には口金２のシェル２ａが取り付けられ、カバー本体３ａの他端側（図１中上端側）には、取付端部である環状の開口取付端部３ｂが形成され、この開口取付端部３ｂの内側にはホルダ５を取り付けている。
【００３５】
発光管４は、２重螺旋形のガラスバルブ４ａの両端部に、一対の電極４ｂ，４ｃをそれぞれ封装し、これら一対の電極封止端部がカバー３側に位置するように頂端部である折返し部４ｄで折り返されている。
【００３６】
図２，図３に示すようにガラスバルブ４ａは、管外径φ４が例えば８．６５ｍｍの直状円管状のガラスバルブを、その折返し部４ｄにより折り返す２重螺旋形にモールド成型することにより形成される。
【００３７】
すなわち、ガラスバルブ４ａは一方の電極封止端部から旋回軸Ｏ回りに旋回しながら図中上方の頂端部である折返し部４ｄに至る第１の旋回部Ａと、この折返し部４ｄの他端から旋回軸Ｏ回りに旋回しながら他方の電極封止端部に至る第２の旋回部Ｂとを有する２重螺旋形状を有し、例えばほぼ９周旋回（ターン数）している。なお、図３に示すように、ガラスバルブ４ａの頂端部である折返し部４ｄは、その直径を第１，第２の旋回部Ａ，Ｂの直径よりも大径の膨出部Ｃに形成し、この膨出部Ｃに最冷部を形成するようになっている。
【００３８】
一対の電極４ｂ，４ｃは、例えばタングステン製のコイル電極が使用されており、例えばビーズガラスにより仮止めされた状態でガラスバルブ４ａの両端部に封着されている。
【００３９】
ガラスバルブ４ａ内には、例えば水銀と、アルゴンやクリプトンガス等の放電媒体が封入されており、ガラスバルブ４ａ内面は、ほぼ全長に亘って希土類等の蛍光体が形成されている。
【００４０】
そして、発光管４は、その高さ（旋回軸Ｏ方向の長さ。発光管封止長）ｈ２が例えば７７ｍｍ、旋回径である発光管最大外径φ２が３０．５ｍｍであり、ほぼ全長（高）に亘って同径の直胴に形成されている。
【００４１】
ホルダ５は、例えばポリブチレンテレフタレート（ＰＢＴ）などの耐熱性合成樹脂材料により形成され、円板状の基板部５ａ、この基板部５ａの中央から図中上方の発光管４の図中下端部の旋回中心部内方へ突出して、その環状の旋回内周部に密着して横方向（径方向）のずれを規制している円筒状の筒状支持部５ｂ、発光管４の一対の電極封止端部を挿入させて固定支持する一対の取付孔５ｃ，５ｄを備えている。これら各取付孔５ｃ，５ｄ内には、発光管４の一対の電極封止端部がそれぞれ挿入され、これら挿入間隙に例えばシリコーン樹脂やエポキシ樹脂等の接着剤が注入されて固着される。
【００４２】
グローブ６は、透明または光拡散性を有するガラスや合成樹脂などの材質により、白熱電球などの一般照明用電球のガラス球の形状に近い滑らかな曲面状に形成されている。グローブ６の一端部（図１内下端部）に開口端部６ａが形成され、この開口端部６ａの縁部がカバー３の開口取付端部３ｂの内側に嵌合されて例えばシリコーン樹脂やエポキシ樹脂などの接着剤により接着固定されている。
【００４３】
点灯装置７は、点灯回路パターンを形成した基板７ａを備え、この基板７ａをカバー本体３ａの内面に例えば水平状態で固着している。基板７ａは片面または両面基板に構成され、その実装面には、電解コンデンサ等のリード部品やトランジスタ等のチップ部品等の回路素子である複数の電子部品７ｂ，７ｂ，…が実装されている。
【００４４】
このように構成された電球形蛍光ランプ１の具体的構成は、次の通りである。すなわち、グローブ６の最大外径φ１が５５ｍｍ、発光管４の発光管最大外径（螺旋外径）φ２が３０．５ｍｍ、カバー３の開口取付端部３ｂの外径φ３が３９ｍｍ、発光管４のガラスバルブ２ａの外径φ４が８．６５ｍｍ、グローブ６の頂端外面から口金２のアイレット２ｃ外面までの高さ（軸方向長さ：ランプ長）ｈ１が１０９ｍｍ、螺旋形の発光管４の高さ（軸方向長さ）ｈ２が７７ｍｍ、カバー３の高さ（軸方向長さ）ｈ３が１４ｍｍ、一対の電極４ｂ，４ｃ同士間の放電路長が３００〜５００ｍｍ、また、口金２の外径φ５が２６ｍｍであり、発光管最大外径φ２（３０．５ｍｍ）の約１．１７倍である。
【００４５】
したがって、この電球形蛍光ランプ１によれば、ランプ長１１０ｍｍの６０Ｗ（ランプ定格電力）型の一般照明用電球の外観を得ることができる。
【００４６】
また、発光管４が螺旋形で放電路長が長いので、発光効率が高い一方、発光しないカバー３の高さ（軸方向長さ）ｈ３が１４ｍｍであり、ランプ長ｈ１（１０９ｍｍ）の約１２．８％と短いので、その分、発光面積を増大して発光効率を向上させることができると共に、一般照明用電球に近似した点灯外観を得ることができる。
【００４７】
さらに、バルブ外径φ４が８．６５ｍｍで細径であるので、螺旋ターン数を増加し、放電路長を長くすることができるので、さらに発光効率を向上させることができる。
【００４８】
図４は本発明の第２実施形態に係る電球形蛍光ランプ１Ａの縦断面図である。この電球形蛍光ランプ１Ａは、図１〜図３で示す第１の実施形態に係る電球形蛍光ランプ１に対し、発光管最大外径φ２ａを３５．５ｍｍ、カバー３の開口端取付部３ｂの外径φ３ａを４３ｍｍ、カバー３の高さｈ３ａを２５ｍｍにそれぞれ形成した点に特徴がある。また、カバー３は透光性の樹脂によって成形されている。このため、電極４ｂ，４ｃに近い発光管４の部位の発光をカバー３を介して外方へ放射することができる。これ以外の構成と寸法は第１実施形態に係る電球形蛍光ランプ１と同様である。
【００４９】
したがって、この電球形蛍光ランプ１Ａによっても、その外観寸法が一般照明用電球の外観寸法に近似しているので、一般照明用電球の外観に近似した外観と点灯外観を得ることができる。
【００５０】
また、発光管最大外径φ２ａを上記電球形蛍光ランプ１のものよりも大径化したので、その分、発光管４のモールド成型が容易となり、放電路長も大きくなるので、発光効率を向上させることができる。
【００５１】
図５は本発明の第３の実施形態に係る電球形蛍光ランプ１Ｂの縦断面図である。この電球形蛍光ランプ１Ｂは、図４で示す電球形蛍光ランプ１Ａに対して、発光管４の高さｈ２方向のほぼ等分（１／２）位置から口金２側の図５中下半部４ｅを、グローブ６の図中下部とカバー３の縮径に対応して口金２側へ向けて漸次縮径し、一対の電極封止端部を横向きで終端させた点に特徴がある。これ以外の構成と寸法は第２実施形態に係る電球形蛍光ランプ１Ａと同様である。
【００５２】
したがって、この電極形蛍光ランプ１Ｂによっても、その外観寸法が上記電球形蛍光ランプ１Ａと同様に一般照明用電球の外観寸法に近似しているので、一般照明用電球に近似した外観と点灯外観を得ることができる。
【００５３】
また、発光管４の一対の電極封止端部を含む下半部４ｅを口金２側に向けて漸次縮径しているので、その分、この発光管４の縮径端部をポリカーボネート樹脂等からなる透明樹脂製のカバー３内へ深く挿入し、口金２の根元近傍まで延伸させることができる。
【００５４】
このために、発光管４の放電路長を長くすることができ、その分、発光効率を向上させることができる。また、口金２の根元近傍まで発光させることができるので、一般照明用電球の点灯外観に一層近似させることができる。
【００５５】
なお、発光管４の縮径下半部４ｅに対応してカバー３の口金２側端部も縮径することができる。この場合、カバー３内に収容される点灯装置７の収容空間も狭くなるが、その場合は、例えば点灯回路のインバータ回路に使用される複数の主スイッチング素子を１個のパッケージ内に収容してなる小形の電子部品等を使用してもよい。
【００５６】
図６は本発明の第４実施形態に係る電球形蛍光ランプ１Ｃの縦断面図である。この電極形蛍光ランプ１Ｃは、図５で示す電球形蛍光ランプ１Ｂに対し、発光管４の最大外径部４ｇよりも図中上方の上半部４ｆを、グローブ６Ｂの頂端部６Ｂ１の内面の縮径に対応して漸次縮径し、上半部４ｆと下半部４ｅを共に縮径し、グローブ６Ｂを例えば２分割６Ｂ２，６Ｂ３した点に特徴がある。これら以外の構成と寸法は図５で示す電極形蛍光ランプ１Ｂと同様である。
【００５７】
この電極形蛍光ランプ１Ｃによれば、発光管４の折返し部４ｄの頂端Ｃａを含む図５中上半部４ｆの螺旋外径を、グローブ６Ｂの頂端部６Ｂ１の縮径内周面に合せて発光管最大外径部４ｇから折返し部４ｄに向けて漸次縮径しているので、折返し部４ｄの頂端Ｃａ外面をグローブ６Ｂの頂端部６Ｂ１内面に可及的に接近させ、発光管高さｈ２を一層高くすることができる。このために、発光管４の放電路長を長くすることができ、その分、発光効率を向上させることができる。
【００５８】
また、グローブ６Ｂの最大外径φ１に合せて発光管４の最大外径部４ｇの外径を大きくすることができるので、その分、放電路長をさらに長くして発光効率を向上させることができる。
【００５９】
そして、グローブ６Ｂは、発光管４の中心軸Ｏと同軸のグローブ６Ｂの中心軸上で、図６中、左半部６Ｂ２と右半部６Ｂ３とに縦割りで分割している。
【００６０】
すなわち、このグローブ６Ｂが図１，図４，図５で示すグローブ６のように非分割の一体から形成されている場合には、発光管４の最大外径部４ｇの外径の方がグローブ６の開口端部６ａよりも大きいので、この開口端部６ａから発光管４を挿入できない。
【００６１】
しかし、このグローブ６Ｂはその中心軸上で左，右半部６Ｂ２，６Ｂ３とに分割されているので、発光管４をホルダ５上にそれぞれ立設した後、この発光管４の外側を、その側方からグローブ６Ｂの左，右半部６Ｂ２，６Ｂ３によりそれぞれ被せ、これら左，右半部６Ｂ２，６Ｂ３を一体に突き合わせた状態でカバー３に取り付けることができる。
【００６２】
この後、グローブ６Ｂの外面に、所要形状の図示省略した袋状の熱収縮フィルムを被せ、この熱収縮フィルムを熱収縮させることにより、グローブ６Ｂの左，右半部６Ｂ２，６Ｂ３同士を一体に結合させることができる。
【００６３】
また、この電球形蛍光ランプ１Ｃによれば、発光管４の最大外径部４ｇから頂端Ｃａに向けて、グローブ６Ｂの縮径内面に合せて縮径しているので、発光管４の最大外径部４ｇをグローブ６Ｂの最大外径部内面に合せて拡径することができる。このために、発光管４の発光効率を向上させることができる。
【００６４】
なお、グローブ６Ｂは横方向（水平方向）に２分割してもよい。この場合は、図６中、破線で示すように発光管４の最大外径部の中心線を分割線ｄとして図中、上下方向に２分割６Ｂ２，６Ｂ３してもよい。これによれば、分割線ｄが発光管４の最大外径部の中心線であるので、上下一対のグローブ６Ｂ２，６Ｂ３により発光管４の全体を被覆することができる。
【００６５】
図７は本発明の第５の実施形態に係る照明装置１１の概略構成図である。この照明装置１１は、例えばダウンライト等の照明装置であり、照明器具本体１２を有する。この照明器具本体１２内にはソケット１３および反射体１４が取り付けられ、ソケット１３には上記電球形蛍光ランプ１，１Ａ〜１Ｃのいずれか一の口金２がねじ込みにより装着される。
【００６６】
なお、本発明は上記各電球形蛍光ランプ１，１Ａ〜１Ｃの寸法に限定されるものではなく、例えば発光管最大外径φ２は２５〜３６ｍｍ、そのバルブ外径φ４は７〜９ｍｍ、発光管高さｈ２は６５〜８５ｍｍ、放電路長は４００〜６００ｍｍの各範囲内にあれば、これら電球形蛍光ランプ１，１Ａ〜１Ｃとほぼ同様の作用効果を奏することができる。また、カバー３は透明樹脂により形成してもよい。これによれば、この透明カバーにより発光管４からの発光を透過させて発光させることができるので、一般照明用電球のように口金以外の殆どの部分を発光させることができる。これにより、一般照明用電球の外観と点灯外観とを得ることができる。
【００６７】
そして、図８〜図１２は上記本発明の寸法等の数値範囲の根拠をなす実験データを示す。図８は、図１，図４で示す直胴形発光管４の最大外径φ２（ｍｍ）と高さ（発光管封止長）ｈ２（ｍｍ）の寸法をそれぞれ相違させた、例えば４本の電球形蛍光ランプＥ，Ｆ，Ｇ，Ｈについての比較値とランプ電圧ＶＬとを示している。
【００６８】
比較値は、６０Ｗの白熱電球相当の従来の電球形蛍光ランプの点灯時における全光束（Ｌｍ）を１００％としたときの従来品の値に対する到達度をパーセント（％）で表わしたものであり、入力電力（Ｗｉｎ）が１１．８ＷのＷｉｎ１１形と、同１０．８ＷのＷｉｎ１０形の２種類について示している。
【００６９】
これら電球形蛍光ランプＥ〜Ｈの中では、ＦのＷｉｎ１１形とＨのＷｉｎ１０形が本発明の実施形態としては望ましい。すなわち、電球形蛍光ランプＦは、図８中、符号０で示すように、比較値が１０７．３％で高い順から第３位であるが、１００％以上の高率であるうえに、ランプ電圧が１２９Ｖであり、発光効率が高いとされる１３０Ｖに近いので、好適である。
【００７０】
これに対し、電球形蛍光ランプＧは、比較値が１０８．５％で電球形蛍光ランプＦよりも高いが、ランプ電圧が１３３Ｖで、電球形蛍光ランプＦよりも高過ぎる。また、電球形蛍光ランプＨについては、Ｗｉｎ１０形では、比較値が１１２．５％で最も高いが、ランプ電圧が１５５Ｖで高過ぎる。
【００７１】
しかし、上記電球形蛍光ランプＨについては、図８中Ｐで示すように、Ｗｉｎ１０形では、ランプ電圧が１５８Ｖで若干高いものの、比較値が１０５．１％で最も高いうえに、図９で示すように放電路長が４９３ｍｍで最も長く、全光束も１００％以上で最も高いので、これら４例の中では最も望ましい。
【００７２】
図１０は発光管最大外径φ２と発光管高さｈ２をパラメータとしたときの、その最適範囲Ｑを示している。この最適範囲Ｑは発光管最大外径φ２が２５〜３６ｍｍ、発光管高さｈ２が６５〜８５ｍｍ、全光束比較値１００％以上の範囲を示している。
【００７３】
すなわち、図１０に示すように発光管最大外径φ２が３６ｍｍを超える場合には、グローブ６の縮径開口端の内径よりも大径であるので、このグローブ６の縮径開口端からその内部へ発光管４を挿入することができなくなるという課題があるので、好ましくない。
【００７４】
また、発光管高さｈ２が８５ｍｍを超える場合には、ランプ長ｈ１の１０９ｍｍを超えて、一般照明用電球の外観から近似しなくなるので、好ましくない。さらに、比較値が１００％未満の場合も好ましくない。
【００７５】
図１１は放電路長と比較値をパラメータとしたときの、その最適範囲Ｒを示している。この最適範囲Ｒは、放電路長が４００〜６００ｍｍ、比較値が１００〜１０５％の範囲を示している。すなわち、最適範囲Ｒは、比較値１００％以上を達成するためには、放電路長は４００ｍｍ以上が望ましいことを示している。
【００７６】
図１２はランプ電圧ＶＬと比較値をパラメータとしたときの、その最適範囲Ｓを示している。この最適範囲Ｓは、ランプ電圧が１３０Ｖ以上、比較値１００％以上の範囲を示している。
【図面の簡単な説明】
【００７７】
【図１】本発明の第１の実施形態に係る電球形蛍光ランプの縦断面図。
【図２】図１で示す発光管の一部を断面で表わすと共に省略した一部切欠縦断面図。
【図３】図１で示す発光管の平面図。
【図４】本発明の第２の実施形態に係る電球形蛍光ランプの縦断面図。
【図５】本発明の第３の実施形態に係る電球形蛍光ランプの縦断面図。
【図６】本発明の第４の実施形態に係る電球形蛍光ランプの縦断面図。
【図７】本発明の第５の実施形態に係る照明装置の概略構成図。
【図８】本発明の複数の実施形態に係る電球形蛍光ランプのうち、入力電力１０Ｗ形と１１Ｗ形の最適範囲をそれぞれ示す一覧表。
【図９】図８で示す複数の電球形蛍光ランプの放電路長や全光束等をそれぞれ示す一覧表。
【図１０】本発明の発光管最大外径と発光管高さについての最適範囲を示すグラフ。
【図１１】本発明の放電路長と比較値についての最適範囲を示すグラフ。
【図１２】本発明のランプ電圧と比較値についての最適範囲を示すグラフ。
【符号の説明】
【００７８】
１，１Ａ，１Ｂ，１Ｃ…電球形蛍光ランプ、２…口金、３…カバー、３ａ…カバー本体、３ｂ…カバーの開口端部、４…発光管、４ａ…ガラスバルブ、４ｂ，４ｃ…一対の電極、４ｄ…折返し部、４ｅ…発光管の下半部、４ｆ…発光管の上半部、４ｇ…発光管の最大外径部、５…ホルダ、５ａ…ホルダの基板部、５ｂ…ホルダの筒状支持部、５ｃ，５ｄ…ホルダの取付孔、６…グローブ、６ａ…グローブの開口端部、６Ｂ…分割グローブ、６Ｂ１…分割グローブの頂端部、６Ｂ２…分割用グローブの左半部、６Ｂ３…分割用グローブの右半部、７…点灯装置、７ａ…点灯装置の基板、７ｂ…点灯装置の電子部品、１１…照明装置、１２…照明器具本体、Ｑ…発光管最大外径と発光管高さの最適範囲、Ｒ…放電路長と比較値の最適範囲、Ｓ…ランプ電圧と比較値の最適範囲。
【図１】
0004779996.tif 000002
【図２】
0004779996.tif 000003
【図３】
0004779996.tif 000004
【図４】
0004779996.tif 000005
【図５】
0004779996.tif 000006
【図６】
0004779996.tif 000007
【図７】
0004779996.tif 000008
【図８】
0004779996.tif 000009
【図９】
0004779996.tif 000010
【図１０】
0004779996.tif 000011
【図１１】
0004779996.tif 000012
【図１２】
0004779996.tif 000013